(57)【要約】【課題】気軽に幼児に着せることができる幼児用着物の提供。【解決手段】左側上前身頃部１３と右側上前身頃部２３と上側後ろ身頃部３３とからなる上身頃体１２と、左側下前身頃部４３と右側下前身頃部５３と下側後ろ身頃部６３とからなる下身頃体４２とをウエストラインＷ位置にて一体化させ、右側上前身頃部２３側の所定位置に第１結び紐２５の基端部２５ａを、左側上前身頃部１３の裏地１１ｂ側の所定位置に第１結び紐２５と結び合わされる第２結び紐１５の基端部を、右側上前身頃部２３側の所定位置に第３結び紐２６の基端部を、左側上前身頃部１３側の所定位置に第３結び紐２６と結び合わされる第４結び紐１６の基端部１６ａをそれぞれ縫着するとともに、上側後ろ身頃部３３の所定位置に配設された保持用リング部に着脱自在な装飾体として帯状布材を配設した。【選択図】図３
0003218668.tif 000002
【実用新案登録請求の範囲】
【請求項１】
左側上前身頃部と右側上前身頃部と上側後ろ身頃部とからなる上身頃体と、左側下前身頃部と右側下前身頃部と下側後ろ身頃部とからなる下身頃体とを御端折りを介在させることなくウエストライン位置にて縫着して一体化させ、かつ、左右の袖付け側に各別に縫着された一対の袖部を少なくとも具備させて構成され、
前記右側上前身頃部の右側開放縁部の終端側と隣り合う前記ウエストライン近傍側には第１結び紐の基端部を、前記左側上前身頃部における前記袖付けの下方に位置する前記ウエストライン近傍の裏地側には前記第１結び紐と結び合わされる第２結び紐の基端部を、前記右側上前身頃部における前記袖付けの下方に位置する前記ウエストライン近傍側には第３結び紐の基端部を、前記左側上前身頃部の左側開放縁部の終端側と隣り合う前記ウエストライン近傍側には前記第３結び紐と結び合わされる第４結び紐の基端部をそれぞれ縫着するとともに、
前記上側後ろ身頃部の表地における前記ウエストライン近傍の着丈方向でのセンターラインの上下方向に布材の両端部を縫着してなる保持用リング部に着脱が自在な装飾体として帯状布材を配設したことを特徴とする幼児用着物。
【請求項２】
前記左側開放縁部から首回りを経て前記右側開放縁部へと至る部位には、衿部を縫着するとともに、第１結び紐の前記基端部は、右側上前身頃部における前記衿部の右側衿先と隣り合う前記ウエストライン近傍側に、前記第１結び紐と結び合わされる第２結び紐の前記基端部は、前記左側上前身頃部における前記袖付けの下方に位置する前記ウエストライン近傍の裏地側に、第３結び紐の前記基端部は、前記右側上前身頃部における前記袖付けの下方に位置する前記ウエストライン近傍側に、前記第３結び紐と結び合わされる第４結び紐の前記基端部は、前記左側上前身頃部における前記衿部の左側衿先と隣り合う前記ウエストライン近傍側にそれぞれ縫着した請求項１に記載の幼児用着物。
【請求項３】
前記左側下前身頃部と前記右側下前身頃部と前記下側後ろ身頃部とにおける前記ウエストライン下方位置には、該ウエストラインと交差する方向に少なくとも１条以上のプリーツを各別に配設した請求項１または２に記載の幼児用着物。
【請求項４】
前記上身頃体の肩側には、左右一対の肩上げ部を具備させた請求項１ないし３のいずれかに記載の幼児用着物。
【考案の詳細な説明】
【技術分野】
【０００１】
本考案は、活発に動き回る１歳前後の幼児であっても着崩れすることなく気軽に着用させることができる幼児用着物に関する技術である。
【背景技術】
【０００２】
幼児用衣服、特にお祝い用などのために装飾が施された幼児用衣服に関しては、例えば特許文献１に開示されているような「乳幼児用衣服」がある。
【先行技術文献】
【特許文献】
【０００３】
【特許文献１】実用新案登録第３２１２９４２号公報
【０００４】
すなわち、特許文献１に開示されている「乳幼児用衣服」は、前身頃、および前身頃に縫着される後身頃が一体に構成されたワンピース型のドレス部と、ドレス部の内側に一部を着脱自在に挿着した状態で、ドレス部の裾から延び出て裾丈を延長する装飾布部とを具備させて、衣服を２通りの態様に容易に変化させることができるようにすることで、高い自由度と優れた利便性が得られるように形成されている。
【考案の概要】
【考案が解決しようとする課題】
【０００５】
しかし、特許文献１の「乳幼児用衣服」は、洋装タイプの衣服には適用可能ではあるものの、和装タイプの幼児用着物には適用できない不都合があった。
【０００６】
すなわち、従来から行われている和装タイプの幼児用着物の着付けは、大人とほぼ同じ手順、つまり、着物を着せ、小物を使用して衿を整え御端折りを作り、帯を巻いて結ぶという手順を踏んで行われていた。
【０００７】
しかし、１歳前後の幼児は、はって動き回ったり立ち上がって歩き回るなど、長時間じっとしていることが難しい動きの活発な世代であることから、それだけ着付けに時間がかかってしまうだけでなく、あまり好ましくないとされている身体の締め付けに通じる帯による締め付けが着付けた際にあるほか、着付け後の着崩れが生じやすいなどといった問題もあった。
【０００８】
すなわち、本考案は、従来からある幼児用着物にみられた上記課題に鑑み、着付けの手間や着崩れの直しのほか、不快な腹囲の締め付けもなくして気軽に着物を着せることができるようにして小さい子供のいる親御さんにも親子共々着物のある生活をより身近に楽しんでもらうことができる幼児用着物を提供することを目的とする。
【課題を解決するための手段】
【０００９】
本考案は、上記目的を達成すべくなされたものであり、左側上前身頃部と右側上前身頃部と上側後ろ身頃部とからなる上身頃体と、左側下前身頃部と右側下前身頃部と下側後ろ身頃部とからなる下身頃体とを御端折りを介在させることなくウエストライン位置にて縫着して一体化させ、かつ、左右の袖付け側に各別に縫着された一対の袖部を少なくとも具備させて構成され、前記右側上前身頃部の右側開放縁部の終端側と隣り合う前記ウエストライン近傍側には第１結び紐の基端部を、前記左側上前身頃部における前記袖付けの下方に位置する前記ウエストライン近傍の裏地側には前記第１結び紐と結び合わされる第２結び紐の基端部を、前記右側上前身頃部における前記袖付けの下方に位置する前記ウエストライン近傍側には第３結び紐の基端部を、前記左側上前身頃部の左側開放縁部の終端側と隣り合う前記ウエストライン近傍側には前記第３結び紐と結び合わされる第４結び紐の基端部をそれぞれ縫着するとともに、前記上側後ろ身頃部の表地における前記ウエストライン近傍の着丈方向でのセンターラインの上下方向に布材の両端部を縫着してなる保持用リング部に着脱が自在な装飾体として帯状布材を配設したことを最も主要な特徴とする。
【００１０】
この場合、前記左側開放縁部から首回りを経て前記右側開放縁部へと至る部位には、衿部を縫着するとともに、第１結び紐の前記基端部は、右側上前身頃部における前記衿部の右側衿先と隣り合う前記ウエストライン近傍側に、前記第１結び紐と結び合わされる第２結び紐の前記基端部は、前記左側上前身頃部における前記袖付けの下方に位置する前記ウエストライン近傍の裏地側に、第３結び紐の前記基端部は、前記右側上前身頃部における前記袖付けの下方に位置する前記ウエストライン近傍側に、前記第３結び紐と結び合わされる第４結び紐の前記基端部は、前記左側上前身頃部における前記衿部の左側衿先と隣り合う前記ウエストライン近傍側にそれぞれ縫着することもできる。また、前記左側下前身頃部と前記右側下前身頃部と前記下側後ろ身頃部とにおける前記ウエストライン下方位置には、該ウエストラインと交差する方向に少なくとも１条以上のプリーツを各別に配設しておくのが望ましい。さらに、前記上身頃体の肩側には、左右一対の肩上げ部を具備させておくこともできる。
【考案の効果】
【００１１】
本考案のうち、請求項１に記載の考案によれば、上身頃体と下身頃体とを御端折りを介在させることなくウエストライン位置にて縫着して一体化させてあるので、御端折りをなくした分だけ着付け作業の簡易化を図ることができる。また、上身頃体は、衿部を備えていないので、着用時の幼児の首回りを洋服のＶネックのようにすっきりとさせることができるほか、暑中において涼しさや汗の拭きやすさを確保することができ、さらには、幼児が動いても首が擦れることもなくなるばかりでなく、首回りの締め付け感も軽減することができる。また、上側後ろ身頃部の所定位置に布材の両端部を縫着してなる保持用リング部に着脱が自在な装飾体として帯状布材が配設されているので、帯を用いる場合には不可能であった装飾体の取り付け取り外しを容易に行うことができ、それだけ可愛らしさの演出も多様化させることができる。
【００１２】
しかも、右側上前身頃部側の所定位置には第１結び紐を、左側上前身頃部の裏地側の所定位置には第１結び紐と結び合わされる第２結び紐を、右側上前身頃部側の所定位置には第３結び紐を、左側上前身頃部側の所定位置には第３結び紐と結び合わされる第４結び紐をそれぞれ具備させてあるので、単に第１結び紐と第２結び紐とを結び合わせた後に、第３結び紐と第４結び紐とを結び合わせることで動き回る幼児であっても気軽に着用させることができ、さらには、帯を巻く場合の不快な腹囲の締め付けをなくしつつ、動きの激しい幼児であっても幼児の脇下付近を安定化させつつ身体にフィットさせて着用させることもできるので、幼児が動き回っても着崩れさせないばかりでなく、活発な動きを妨げることもなくすることができる。
【００１３】
請求項２に記載の考案によれば、右側開放縁部から首回りを経て前記左側開放縁部へと至る部位に衿部が縫着されているので、着用時における幼児の首回りに和装的な安定感を付与することができる。
【００１４】
請求項３に記載の考案によれば、左側下前身頃部と右側下前身頃部と下側後ろ身頃部とにおけるウエストライン下方位置には、該ウエストラインと交差する方向に少なくとも１条以上のプリーツを各別に配設してあるので、オムツをした状態でも身体によくフィットして着崩れなく着用させることができる。
【００１５】
請求項４に記載の考案によれば、上身頃体の肩側には、左右一対の肩上げ部を具備させてあるので、裄の長さ調整を行うことで幼児の成長に柔軟に対応させながら比較的長期に亘り着用させることができる。
【図面の簡単な説明】
【００１６】
【図１】本考案の一例を示す正面図。
【図２】図１に示す例についての左側前身頃側を開いた状態で示す正面図。
【図３】図１に示す例についての左側前身頃側を更に広く開いた状態で示す正面図。
【図４】図１に示す例についての右側前身頃側も開いた状態で示す正面図。
【図５】図１に示す例についての背面図。
【図６】図５に示す例について着物本体側から装飾体（帯状布材）を取り外した状態で示す背面図。
【考案を実施するための形態】
【００１７】
以下、本考案の実施の形態につき図面に基づいて説明する。すなわち、幼児用着物１１の全体は、図１からも明らかなように、左側上前身頃部１３と右側上前身頃部２３と上側後ろ身頃部３３とからなる上身頃体１２と、左側下前身頃部４３と右側下前身頃部５３と下側後ろ身頃部６３とからなる下身頃体４２とを御端折りを介在させることなくウエストラインＷ位置にて縫着して一体化させ、かつ、袖付け１４，２４側に各別に縫着された左右一対の袖部７２，７２と、左側開放縁部１８から首回りを経て右側開放縁部２８へと至る部位に縫着された衿幅が２５ｍｍ前後の衿部８２とを具備させて構成されている。
【００１８】
この場合、左側上前身頃部１３と左側下前身頃部４３と、右側上前身頃部２３と右側下前身頃部５３とのそれぞれは、図２に示されているように着丈方向での開放縁５５側に各別に延設された衽部５６を含めて形成されている。
【００１９】
また、図１〜図６に示す例によれば、右側上前身頃部２３における衿部８２の右側衿先８２ａと隣り合うウエストラインＷ近傍の表地１１ａ側には第１結び紐２５の基端部２５ａが、左側上前身頃部１３における袖付け１４の下方に位置するウエストラインＷ近傍の裏地１１ｂ側には第１結び紐２５と結び合わされる第２結び紐１５の基端部１５ａが、右側上前身頃部２３における袖付け２４の下方に位置するウエストラインＷ近傍の表地１１ａ側には第３結び紐２６の基端部２６ａが、左側上前身頃部２３における衿部８２の左側衿先８２ｂと隣り合うウエストラインＷ近傍の裏地１１ｂ側には第３結び紐２６と結び合わされる第４結び紐１６の基端部１６ａがそれぞれ縫着されている。
【００２０】
この場合における第１結び紐２５と第２結び紐１５と第３結び紐２６と第４結び紐１６とには、いずれも縫付け部（基端部）を除く部位の長さが２００ｍｍ前後で、幅が１２ｍｍ前後の布材が用いられている。
【００２１】
しかも、左側下前身頃部４３と右側下前身頃部５３と下側後ろ身頃部６３とにおけるウエストラインＷの下方位置の表地１１ａ側には、該ウエストラインＷと交差する方向に少なくとも各１条以上、図１および図２によれば左側下前身頃部４３と右側下前身頃部５３とには、それぞれ２条のプリーツ４４，５４が、図６によれば下側後ろ身頃部６３には、ウエストラインＷとセンターラインＣとの交差部位近傍の２条と左右方向にやや離れた位置に各１条の計４条のプリーツ６４が配設されている。
【００２２】
また、上側後ろ身頃部３３における着丈方向に沿わせたセンターラインＣと交差するウエストラインＷ近傍位置の表地１１ａ側には、図６に示されているようにセンターラインＣの上下方向に適宜長さの布材３４の両端部３４ａ，３４ｂを縫着することで保持用リング部３５が形成されている。
【００２３】
そして、該保持用リング部３５には、適宜回数折り畳んで重ね合わされた状態の帯状布材３８を挿通保持させておくことで、図５に示すようなリボン模様を呈するなど、適宜の立体模様を呈する装飾体３９として着脱自在に配設することができるようになっている。
【００２４】
また、上身頃体１２の左右の肩部１２ａ側には、図１に示すように左右一対の肩上げ部１７，２７が配設されており、これら肩上げ部１７，２７を利用して幼児の成長に対応させることができるようになっている。
【００２５】
次に、上記構成からなる本考案の作用・効果を説明する。すなわち、幼児に幼児用着物１１を着用させる際には、左側上前身頃部１３と左側下前身頃部４３とからなる左前身頃側と、右側上前見頃部２３と右側下前見頃部５３とからなる右前身頃側とのそれぞれを図４に示すように開いた状態とした上で、幼児の左右の腕をそれぞれの袖部７２，７２に各別に通して着せた後、第１結び紐２５と第２結び紐１５とをまず結び合わせる。次いで、第３結び紐２６と第４結び紐１６とを結び合わせれば、幼児用着物１１として幼児に簡単に着用させることができる。また、幼児用着物１１を脱がせる場合は、着せる際とは逆の手順を踏むことで容易に行うことができる。
【００２６】
また、幼児用着物１１は、上身頃体１２と下身頃体４２とを御端折りを介在させることなくウエストラインＷ位置にて縫着して一体化させてあるので、御端折りをなくした分だけ着付けの手間の簡易化を図ることができることになる。さらに、左側開放縁部１８から首回りを経て右側開放縁部２８へと至る部位に衿部８２が縫着されているので、着用時における幼児の首回りに和装的な安定感を付与することができる。
【００２７】
しかも、図示例によれば、幼児用着物１１は、右側上前身頃部２３における衿部８２の右側衿先８２ａと隣り合うウエストラインＷ近傍の表地１１ａ側には第１結び紐２５の基端部２５ａを、左側上前身頃部１３における袖付け１４の下方に位置するウエストラインＷ近傍の裏地１１ｂ側には第１結び紐２５と結び合わされる第２結び紐１５の基端部１５ａを、右側上前身頃部２３における袖付け２４の下方に位置するウエストラインＷ近傍の表地１１ａ側には第３結び紐２６の基端部２６ａを、左側上前身頃部１３における衿部８２の左側衿先８２ｂと隣り合うウエストラインＷ近傍の裏地１１ｂ側には第３結び紐２６と結び合わされる第４結び紐１６の基端部１６ａをそれぞれ縫着させてあるので、第２結び紐１５の基端部１５ａと第３結び紐２６の基端部２６ａとを着用時に幼児の脇下付近に位置させることができることになる。
【００２８】
このため、幼児用着物１１は、単に第１結び紐２５と第２結び紐１５とを結び合わせた後に、第３結び紐２６と第４結び紐１６とを結び合わせることで、幼児の脇下付近を安定化させつつ身体にフィットさせて着用させることができるので、幼児が動き回っても着崩れさせないばかりでなく、運動を妨げることもなくすることができる。
【００２９】
また、左側下前身頃部４３と右側下前身頃部５３と下側後ろ身頃部６３とにおける各ウエストラインＷ下方位置には、該ウエストラインＷと交差する方向に少なくとも１条以上のプリーツ４４，５４が、具体的には図１および図２によれば左側下前身頃部４３と右側下前身頃部５３とには、それぞれ２条のプリーツ４４，４４および５４，５４が、図５および図６によれば下側後ろ身頃部６３には、ウエストラインＷとセンターラインＣとの交差部位近傍の２条と左右方向にやや離れた位置に各１条の計４条のプリーツ６４が配設されているので、これらの各プリーツ４４，５４，６４を介することでオムツをした状態でも身体によくフィットして着崩れなく着用させることができることになる。
【００３０】
さらに、上身頃体１２の肩部１２ａ側に左右一対の肩上げ部１７，２７を具備させてある場合には、単に裄の長さ調整を行うことで幼児の成長に柔軟に対応させながら比較的長期に亘り幼児用着物１１を着用させることができる。
【００３１】
以上は、本考案を図示例に基づいて説明したものであり、その具体的な内容はこれに限定されるものではない。例えば、幼児用着物１１は、着用時の幼児の首回りを洋服のＶネックのようにすっきりとさせたり、暑中において涼しさや汗の拭きやすさを確保したり、幼児が動いても首が擦れなくしたり、首回りの締め付け感を軽減したりできるように、衿部８２を具備させないで形成（図示省略）することもできる。また、第２結び紐１５を除く第１結び紐２５と第３結び紐２６と第４結び紐１６とは、図示例とは異なり、表地１１ａと裏地１１ｂとのいずれの側に縫着してもよく、さらには、表地１１ａと裏地１１ｂとの間に挟み込むようにして縫着することもできる。さらに、幼児用着物１１は、均一サイズではなく、体格の違いに応じ得るように例えばＳサイズ、Ｍサイズ、Ｌサイズというようにサイズを異ならせて用意しておくこともできる。さらにまた、各プリーツ４４，５４，６４は、必要により図示例以外の複数条を配設しておくこともできる。また、肩上げ部１７，２７は、所望により設けないでおくこともできる。
【符号の説明】
【００３２】
１１  幼児用着物
１１ａ  表地
１１ｂ  裏地
１２  上身頃体
１２ａ  肩部
１３  左側上前身頃部
１４  袖付け
１５  第２結び紐
１５ａ  基端部
１６  第４結び紐
１６ａ  基端部
１７  肩上げ部
１８  左側開放縁部
１８ａ  終端
２３  右側上前身頃部
２４  袖付け
２５  第１結び紐
２５ａ  基端部
２６  第３結び紐
２６ａ  基端部
２７  肩上げ部
２８  右側開放縁部
２８ａ  終端
３３  上側後ろ身頃部
３４  布材
３４ａ，３４ｂ  端部
３５  保持用リング部
３８  帯状布材
３９  装飾体
４２  下身頃体
４３  左側下前身頃部
４４  プリーツ
５３  右側下前身頃部
５４  プリーツ
５５  開放縁
５６  衽部
６３  下側後ろ身頃部
６４  プリーツ
７２  袖部
８２  衿部
８２ａ  右側衿先
８２ｂ  左側衿先
Ｃ  センターライン
Ｗ  ウエストライン
【図１】
0003218668.tif 000003
【図２】
0003218668.tif 000004
【図３】
0003218668.tif 000005
【図４】
0003218668.tif 000006
【図５】
0003218668.tif 000007
【図６】
0003218668.tif 000008